(57)【要約】【課題】電解水ディスペンサーにおいて、多量の強酸性の電解生成酸性水、多量の強アルカリ性の電解生成アルカリ性水、少量の強酸性の電解生成酸性水、およびアルカリイオン水を給水可能にする。【解決手段】無機塩を被電解水とする電解水生成装置１０ａ、一般水を被電解水とする電解水生成装置１０ｂ、および給水タンク１０ｃを備え、電解水生成装置１０ａからは強酸性の電解生成酸性水および強アルカリ性の電解生成アルカリ性水を選択的に多量給水可能とし、給水タンク１０ｃからは強酸性の電解生成酸性水を少量給水可能とし、電解水生成装置１０ｂからはアルカリイオン水を給水可能とした。【選択図】  図１
2005334723.tif 000002
【特許請求の範囲】
【請求項１】
無機塩の希釈水溶液を被電解水とする有隔膜電解槽を有する第１の電解水生成装置と、一般水を被電解水とする有隔膜電解槽を有する第２の電解水生成装置とを備える電解水ディスペンサーであり、前記第１の電解水生成装置は、電解運転時に生成される強酸性の電解生成酸性水および強アルカリ性の電解生成アルカリ性水を給水する一対の給水管路と、生成される強酸性の電解生成酸性水を一旦貯留して少量の給水を常時可能とする給水タンクを備え、前記第２の電解水生成装置は、電解運転時に生成される弱アルカリ性の電解生成アルカリ性水を給水する給水管路と、弱酸性の電解生成酸性水を排水する排水管路を備え、弱アルカリ性の電解生成アルカリ性水の給水管路と、前記給水タンク内の強酸性の電解生成酸性水の給水管路は、同一の給水場所に臨んでいることを特徴とする電解水ディスペンサー。
【請求項２】
無機塩の希釈水溶液を被電解水とする有隔膜電解槽を有する第１の電解水生成装置と、一般水を被電解水とする有隔膜電解槽を有する第２の電解水生成装置とを備える電解水ディスペンサーであり、前記第１の電解水生成装置は、電解運転時に生成される強酸性の電解生成酸性水および強アルカリ性の電解生成アルカリ性水を給水する一対の給水管路と、生成される強酸性の電解生成酸性水を一旦貯留して少量の給水を常時可能とする給水タンクを備え、前記第２の電解水生成装置は、電解運転時に生成される弱アルカリ性の電解生成アルカリ性水を給水する給水管路と、弱酸性の電解生成酸性水を排水する排水管路を備え、これら給水管路および排水管路は前記給水タンクが有する排水管路に開閉弁を介して接続されていることを特徴とする電解水ディスペンサー。
【請求項３】
請求項２に記載の電解水ディスペンサーにおいて、前記給水タンク内の強酸性の電解生成酸性水は定期的に新鮮な電解生成酸性水に置換されるものであり、当該電解生成酸性水の置換時には、前記給水管路の開閉弁が開放されて排水され、かつ、前記第２の電解水生成装置が電解運転されるとともに前記給水管路および排水管路の開閉弁が開放されて、前記第２の電解水生成装置が生成する両電解生成水が前記給水管路の排水管路に排水されることを特徴とする電解水ディスペンサー。
【発明の詳細な説明】
【技術分野】
【０００１】
本発明は、電解生成酸性水と電解生成アルカリ性水を互いに独立して給水するための電解水ディスペンサーに関する。
【背景技術】
【０００２】
電解水ディスペンサーの一形式として、無機塩の希釈水溶液を被電解水とする有隔膜電解槽を有する電解水生成装置を備えた電解水ディスペンサーがある（特許文献１、特許文献２を参照）。当該形式のディスペンサーにおいては、例えば上記した各特許文献にて示されているように、各電解生成水を一旦各給水タンクに導入して給水タンク内の電解生成水を給水する手段や、電解運転時に給水管路を介して直接給水する手段が採られる。
【０００３】
しかして、当該形式の電解水ディスペンサーは、電解運転時に生成される強酸性の電解生成酸性水および強アルカリ性の電解生成アルカリ性水を多量に給水することを基本にしている。このため、当該電解水ディスペンサーを簡単な構成で小型化するには、大型の給水タンクを省略して、電解運転時の生成される各電解生成水を給水管路を介して直接給水する手段を採ることが好ましい。
【特許文献１】特開平７−２５６２５６号公報
【特許文献２】特開平８−２１５６８４号公報
【発明の開示】
【発明が解決しようとする課題】
【０００４】
ところで、当該形式の電解水ディスペンサーが有する電解水生成装置においては、電解運転の開始から所定時間が経過するまでは、設定された特性の電解生成水を安定した状態では生成することができず、所定時間経過した後に、設定された特性の電解生成水を安定して生成することができるという特性を備えている。このため、当該形式の電解水ディスペンサーを上記したように、各電解生成水を電解運転時に給水管路を介して直接給水する手段を採る構成にした場合には、電解運転の開始の初期には、設定された特性の電解生成水を少量給水することができず、少量の電解生成水を所望する消費者には、給水を受けるのに待機時間を強いることになり、応答性の点で新たな問題が発生する。
【０００５】
また、当該形式の電解水ディスペンサーにおいては、強酸性の電解生成酸性水および強アルカリ性の電解生成アルカリ性水を給水することを基本とするものであり、当該形式の電解水ディスペンサーには、例えば、調理用や飲用として使用し得る弱アルカリ性の電解生成アルカリ性水、所謂、アルカリイオン水を給水することができる機能を備えることが望まれる。従って、本発明の目的は、これらの問題を対処することにある。
【課題を解決するための手段】
【０００６】
本発明は、電解水ディスペンサーに関するもので、本発明に係る第１の電解水ディスペンサーは、無機塩の希釈水溶液を被電解水とする有隔膜電解槽を有する第１の電解水生成装置と、一般水を被電解水とする有隔膜電解槽を有する第２の電解水生成装置とを備える電解水ディスペンサーであり、前記第１の電解水生成装置は、電解運転に生成される強酸性の電解生成酸性水および強アルカリ性の電解生成アルカリ性水を給水する一対の給水管路と、生成される強酸性の電解生成酸性水を一旦貯留して少量の給水を常時可能とする給水タンクを備え、前記第２の電解水生成装置は、電解運転時に生成される弱アルカリ性の電解生成アルカリ性水を給水する給水管路と、弱酸性の電解生成酸性水を排水する排水管路を備え、弱アルカリ性の電解生成アルカリ性水の給水管路と、前記給水タンク内の強酸性の電解生成酸性水の給水管路は、同一の給水場所に臨んでいることを特徴とするものである。
【０００７】
本発明に係る第２の電解水ディスペンサーは、無機塩の希釈水溶液を被電解水とする有隔膜電解槽を有する第１の電解水生成装置と、一般水を被電解水とする有隔膜電解槽を有する第２の電解水生成装置とを備える電解水ディスペンサーであり、前記第１の電解水生成装置は、電解運転時に生成される強酸性の電解生成酸性水および強アルカリ性の電解生成アルカリ性水を給水する一対の給水管路と、生成される強酸性の電解生成酸性水を一旦貯留して少量の給水を常時可能とする給水タンクを備え、前記第２の電解水生成装置は、電解運転時に生成される弱アルカリ性の電解生成アルカリ性水を給水する給水管路と、弱酸性の電解生成酸性水を排水する排水管路を備え、これら給水管路および排水管路は前記給水タンクが有する排水管路に開閉弁を介して接続されていることを特徴とするものである。
【０００８】
本発明に係る第２の電解水ディスペンサーにおいては、前記給水タンク内の強酸性の電解生成酸性水は定期的に新鮮な電解生成酸性水に置換されるものであり、当該電解生成酸性水の置換時には、前記給水管路の開閉弁が開放されて排水され、かつ、前記第２の電解水生成装置が電解運転されるとともに前記給水管路および排水管路の開閉弁が開放されて、前記第２の電解水生成装置が生成する両電解生成水が前記給水管路の排水管路に排水されるようにすることができる。
【発明の効果】
【０００９】
本発明に係る第１，第２の電解水ディスペンサーにおいては、第１の電解水生成装置の電解運転時には、生成される強酸性の電解生成酸性水が給水タンクに導入されて、給水タンクが略満タン状態にされる。これにより、給水タンクは、強酸性の電解生成酸性水の給水を常時可能な状態に維持される。この場合には、強酸性の電解生成酸性水または強アルカリ性の電解生成性アルカリ性水を各給水管路を介して多量に給水することができる。また、第２の電解水生成装置の電解運転時には、弱アルカリ性の電解生成アルカリ性水を給水管路を介して、給水タンクからの給水場所と同じ場所に給水することができる。
【００１０】
また、第２の電解水ディスペンサーにおいては、給水タンク内の強酸性の電解生成酸性水を定期的に新鮮な強酸性の電解生成酸性水に置換することを想定して構成されているものであり、当該電解生成酸性水の置換時には、前記給水タンクの排水管路の開閉弁を開放して当該電解生成酸性水を排水し、かつ、第２の電解水生成装置を電解運転するとともに給水管路および排水管路の開閉弁を開放して、第２の電解水生成装置で生成される両電解生成水を記給水管路の排水管路に排水するようにする。これにより、給水タンクから一度の多量排水される強酸性の電解生成酸性水を、第２の電解水生成装置で生成される両電解生成水で薄めることができて、強酸性の電解生成酸性水の一度に多量排水する場合の悪影響を抑制することができる。
【発明を実施するための最良の形態】
【００１１】
本発明は、電解水ディスペンサーに関する。図１には、本発明に係る電解水ディスペンサーの一実施形態を示している。当該電解水ディスペンサーは、本発明に係る第１，２の電解水ディスペンサーに該当するもので、有隔膜電解槽を有する第１の電解水生成装置１０ａと、有隔膜電解槽を有する第２の電解水生成装置１０ｂとを備える複合型の電解水ディスペンサーであり、強酸性の電解生成酸性水を所定量収容する給水タンク１０ｃを備えている。第１の電解水生成装置１０ａ、第２の電解水生成装置１０ｂ、および、給水タンク１０ｃは、水管路系２０ａ，２０ｂにて互いに接続されている。
【００１２】
第１の電解水生成装置１０ａは、希薄食塩水を被電解水として有隔膜電解すべく機能する公知のもので、陽極側電解室にて強酸性の電解生成酸性水が生成され、かつ、陰極側電解室にて強アルカリ性の電解生成アルカリ性水が生成される。第１の電解水生成装置１０ａにおいては、各電解室へ被電解水を供給するための供給管路１０ｄが接続されている。なお、陽極側電解室にて生成される強酸性の電解生成酸性水は、後述する流出管路２１ａ，２１ｂを通して流出される。
【００１３】
第２の電解水生成装置１０ｂは、水道水を浄水器を通して浄水した水を被電解水として有隔膜電解すべく機能するもので、陽極側電解室にて弱酸性の電解生成酸性水が生成され、かつ、陰極室側電解室にて弱アルカリ性の電解生成アルカリ性水が生成される。第２の電解水生成装置１０ｂにおいては、各電解室へ被電解水を供給するための供給管路１０ｅが接続されている。供給管路１０ｅは、開閉弁を介装されているバイパス管路１０ｅ１を備えている。なお、陽極側電解室にて生成される弱酸性の電解生成酸性水は、後述する排水管路２６ｂを通して流出され、かつ、陰極室側電解室にて生成された弱アルカリ性の電解生成アルカリ性水は、後述する給水管路２６ａを通して流出される。
【００１４】
給水タンク１０ｃは、タンク本体１１、タンク本体１１内に配設された３個のフロートスイッチ１２ａ，１２ｂ，１２ｃ、給水管路１３、ガス放出管１４、排水管路１５、オーバーフローパイプ１６にて構成されている。
【００１５】
タンク本体１１は、上方部に流入孔部１１ａを、タンク本体１１の底部に排出孔部１１ｂを、タンク本体１１の下方側部に供給孔部１１ｃを有するもので、タンク本体１１の上方にはガス放出管１４を備えている。また、タンク本体１１の流入孔部１１ａには、後述する導入管路２５ａが接続され、排出孔部１１ｂには排水管路１５が接続され、供給孔部１１ｃには給水管路１３が接続されている。給水管路１３には給水ポンプ１３ａが介装され、排水管路１５には開閉弁１５ａが介装されている。
【００１６】
タンク本体１１内に配設されているフロートスイッチ１２ａ〜１２ｃのうち、上側フロートスイッチ１２ａは、タンク本体１１に収容されている強酸性の電解生成水酸性水の上側液面を規定すべく機能し、中間フロートスイッチ１２ｂは、タンク本体１１に収容されている強酸性の電解生成水の中間液面を規定すべく機能し、タンク本体１１内での強酸性の電解生成酸性水を一定量に維持する。また、下側フロートスイッチ１２ｃは、タンク本体１１に収容されている強酸性の電解生成酸性水の下死点液面を規定すべく機能するもので、タンク本体１１内に収容されている強酸性の電解生成酸性水の過剰な給水に起因する給水ポンプの空運転を防止する。
【００１７】
タンク本体１１に接続されている給水管路１３は、その先端を、小容量の容器であるコップＡを受承する容器受部１７ａの上方に臨ませている。これにより、給水タンク１０ｃにおいては、給水ポンプ１３ａを駆動することにより、タンク本体１１内の強酸性の電解生成酸性水を給水管路１３を通して、コップＡ内に給水することができる。排水管路１５およびオーバーフローパイプ１６は、主排水管路１０ｆに接続されている。
【００１８】
当該電解水ディスペンサーを構成する第１の水管路系２０ａは、第１の電解水生成装置１０ａにおける有隔膜電解槽の陽極側電解室に接続された流出管路２１ａおよび陰極側電解室に接続された流出管路２１ｂ、各流出管路２１ａ，２１ｂに接続されている給水管路２２ａ，２２ｂおよび各給水管路２２ａ，２２ｂが接続された主給水管路２３、流出管路２１ａと給水管路２２ａの接続部位に三方切替弁２４ａを介して接続された導入管路２５ａ、流出管路２１ｂと給水管路２２ｂの接続部位に三方切替弁２４ｂを介して接続された排水管路２５ｂからなる。
【００１９】
導入管路２５ａは、給水タンク１０ｃのタンク本体１１の流入孔部１１ａに接続され、排水管路２５ｂは主排水管路１０ｆに接続されている。また、主給水管路２３の先端は、大容量の容器である収容タンクＢを受承する容器受部１７ｂの上方に臨んでいる。これにより、主給水管路２３は、第１の電解水生成装置１０ａの電解運転時には、強酸性の電解生成酸性水および強アルカリ性の電解生成アルカリ性水を、選択的に収容タンクＢに給水することができる。
【００２０】
当該電解水ディスペンサーを構成する第２の水管路系２０ｂは、第２の電解水生成装置１０ｂの有隔膜電解槽における陰極側電解室に接続された給水管路２６ａおよび陽極側電解室に接続された排水管路２６ｂ、給水管路２６ａの途中に接続された排水管路２７からなる。各管路２６ａ，２６ｂ，２７にはそれぞれ開閉弁２８ａ，２８ｂ，２８ｃが介装されている。給水管路２６ａの先端は、小容量の容器であるコップＣを受承する容器受部１７ａの上方に臨んでいる。これにより、第２の電解水生成装置１０ｂにおいては、電解運転時には、弱アルカリ性の電解生成アルカリ性水（アルカリイオン水）を、給水管路２６ａを通して、コップＣ内に給水することができる。
【００２１】
当該電解水ディスペンサーは、図示しない制御装置を備えている。当該制御装置は、各三方切替弁を切替制御し、各開閉弁を開閉制御して、各電解生成水を給水するための各種の電解運転を制御する。当該電解水ディスペンサーにおける電解運転には、下記の第１電解運転〜第５電解運転の５種類の電解運転を挙げることができる。
【００２２】
第１電解運転は、第１の電解水生成装置１０ａを電解運転して、強酸性の電解生成酸性水を大容量の収容タンクＢに多量に給水する電解運転である。第２電解運転は、第１の電解水生成装置１０ａを電解運転して、強アルカリ性の電解生成アルカリ性水を大容量の収容タンクＢに多量に給水する電解運転である。第３電解運転は、第１の電解水生成装置１０ａを電解運転して、給水タンク１０ｃ内の減量した強酸性の電解生成酸性水を補う電解運転である。また、第４電解運転は、第２の電解水生成装置１０ｂを電解運転して、弱アルカリ性の電解生成アルカリ性水（アルカリイオン水）を小容量のコップＣに給水する電解運転である。第５電解運転は、給水タンク１０ｃ内の強酸性の電解生成酸性水を新鮮な電解生成酸性水に置換する際にこれと同期して第２の電解水生成装置１０ｂを電解運転する電解運転である。これらの電解運転は、図示しない制御装置にて制御される。
【００２３】
当該電解水ディスペンサーの上記した各電解運転時における各電解生成水の流れについては、実線矢印および破線矢印で図１〜図５にそれぞれ示す。但し、実線矢印は電解生成酸性水の流れを示し、破線矢印は電解生成アルカリ性水の流れを示す。
【００２４】
当該電解水ディスペンサーにおいては、制御装置の図示しない操作パネルに、４種類の押ボタン式の操作スイッチ、強酸性の電解生成酸性水を多量給水することを指示する第１給水スイッチ、強アルカリ性の電解生成アルカリ性水を多量給水することを指示する第２給水スイッチ、強酸性の電解生成酸性水を少量給水することを指示する第３給水スイッチ、アルカリイオン水を少量給水することを指示する第４給水スイッチが配置されている。
【００２５】
また、当該制御装置は、給水タンク１０ｃ内の強酸性の電解生成酸性水を１日１回（夜間）置換するための作動手段、および、給水タンク１０ｃ内の強酸性の電解生成酸性水が所定量減量した場合に、その減量分を補足すべく第１の電解水生成装置１０ａを電解運転する作動手段を備えている。
【００２６】
当該電解水ディスペンサーにおいては、消費者が第１給水スイッチを押動操作すると、制御装置が第１の電解水生成装置１０ａの電解運転を開始し、第１給水スイッチの押動操作が解除されるまで、強酸性の電解生成酸性水を収容タンクＢに多量に給水する。当該制御装置は、第１給水スイッチが押動操作されると、三方切替弁２４ａ，２４ｂを切替動作し、被電解水である希薄食塩水を有隔膜電解槽の各電解室に供給し、かつ、各電解室の電極に設定された値の電解電流を印加する。
【００２７】
これにより、第１の電解水生成装置１０ａの電解運転が開始され、陽極側電解室にて生成される強酸性の電解生成酸性水は、図１の実線矢印で示すように、主給水管路２３を通して収容タンクＢに給水される。また、陰極側電解室にて生成される強アルカリ性の電解生成アルカリ性水は、図１の破線矢印で示すように、排水管路２５ｂを通して主排水管路１０ｆに排水される。
【００２８】
この間、給水タンク１０ｃ内の中間フロートスイッチ１２ｂが、給水タンク１０ｃ内の強酸性の電解生成酸性水が所定量減量したことを検出した場合には、当該制御装置は三方切替弁２４ａを一時的に切替動作して、減量した分の電解生成酸性水を図１の実線矢印で示すように、導入管路２５ａを通して給水タンク１０ｃのタンク本体１１内に導入する。
【００２９】
当該電解水ディスペンサーにおいては、消費者が第２給水スイッチを押動操作すると、当該制御装置は第１の電解水生成装置１０ａの電解運転を開始し、第２給水スイッチの押動操作が解除されるまで、強アルカリ性の電解生成アルカリ性水を収容タンクＢに多量に給水する。当該制御装置は、第２給水スイッチが押動操作されると、三方切替弁２４ａ，２４ｂを切替動作し、被電解水である希薄食塩水を有隔膜電解槽の各電解室に供給し、かつ、各電解室の電極に設定された値の電解電流を印加する。
【００３０】
これにより、電解運転が開始され、陰極側電解室にて生成される強アルカリの電解生成アルカリ水は、図２の破線矢印で示すように、主給水管路２３を通して収容タンクＢに給水される。また、陽極側電解室にて生成される強酸性の電解生成酸性水は、図２の実線矢印で示すように、導入管路管路２５ａを通して給水タンク１０ｃのタンク本体１１内に導入される。
【００３１】
この間は、給水タンク１０ｃ内の上側フロートスイッチ１２ａおよび中間フロートスイッチ１２ｂの動作は無視されて、強酸性の電解生成酸性水のタンク本体１１内への導入が継続され、余剰となった電解生成酸性水はオーバーフローパイプ１６を通して主排水管路１０ｆに排水される。
【００３２】
当該電解水ディスペンサーにおいては、消費者が第３給水スイッチを押動操作すると、当該制御装置は給水タンク１０ｃの給水管路１３に介装されている給水ポンプ１３ａを駆動して、タンク本体１１内の強酸性の電解生成酸性水をコップＡに少量給水し、第３給水スイッチの押動操作が解除されるまで継続される。この間、給水タンク１０ｃ内の中間フロートスイッチ１２ｂが、強酸性の電解生成酸性水が所定量減量したことを検出した場合には、当該制御装置は第１の電解水生成装置１０ａの電解運転を開始して、減量した分の電解生成酸性水を図３の実線矢印で示すように、導入管路２５ａを通して給水タンク１０ｃのタンク本体１１内に導入する。
【００３３】
当該電解水ディスペンサーにおいては、消費者が第４給水スイッチを押動操作すると、当該制御装置は第２の電解水生成装置１０ｂの電解運転を開始し、第４給水スイッチの押動操作が解除されるまで、アルカリイオン水（弱アルカリ性の電解生成アルカリ性水）をコップＣに少量に給水する。当該制御装置は、第４給水スイッチが押動操作されると、開閉弁２８ａ，２８ｃを開放しかつ開閉弁２８ｂを閉鎖した状態で、被電解水である水道水を浄水器を通して有隔膜電解槽の各電解室に供給し、かつ、各電解室の電極に設定された値の電解電流を印加する。
【００３４】
これにより、第２電解水生成装置１０ｂの電解運転が開始され、陰極側電解室にて生成される弱アルカリ性の電解生成アルカリ性水であるアルカリイオン水が、図４の破線矢印で示すように、給水管路２６ａを通してコップＣに給水される。また、陽極側電解室にて生成される弱酸性の電解生成酸性性水は、図４の実線矢印で示すように、排水管路２６ｂを通して主排水管路１０ｆに排水される。
【００３５】
当該電解水ディスペンサーにおいては、１日に１回、夜間に給水タンク１０ｃのタンク本体１１に収容されている強酸性の電解生成酸性水を新鮮な電解生成酸性水に置換する操作が自動的に行われる。この場合、当該制御装置は、第２の電解水生成装置１０ｂ側の開閉弁２８ａを閉鎖するとともに開閉弁２８ｂ，２８ｃを開放して、第２の電解水生成装置１０ｂの電解運転を開始し、これと同期して、給水管路１５の開閉弁１５ａを開放する。但し、第２の電解水生成装置１０ｂには、被電解水としては、浄水器を通さない塩素成分含有の水道水がバイパス管路１０ｅ1を通して供給される。
【００３６】
これにより、第２の電解水生成装置１０ｂからは、図５の実線矢印で示す弱酸性の電解生成酸性水、および、同図の破線矢印で示す弱アルカリ性の電解生成アルカリ性水が一体となって主排水管路１０ｆに排水され、同時に、給水タンク１０ｃのタンク本体１１内からは強酸性の電解生成酸性水が、同図の実線矢印で示すように、主排水管路１０ｆに排水される。
【００３７】
この結果、タンク本体１１内から排水される強酸性の電解生成酸性水は、第２の電解水生成装置１０ｂから排水される両電解生成水により十分に薄められ、環境に大きな影響を及ぼさない状態で排水されることになる。
【図面の簡単な説明】
【００３８】
【図１】本発明に係る一実施形態に係る電解水ディスペンサーを示す概略構成図であって、強酸性の電解生成酸性水の給水時における各電解生成水の流れを併記した構成図である。
【図２】同電解水ディスペンサーを示す概略構成図であって、強アルカリ性の電解生成アルカリ性水の給水時における各電解生成水の流れを併記した構成図である。
【図３】同電解水ディスペンサーを示す概略構成図であって、強酸性の電解生成酸性水の給水タンクからの給水時における各電解生成水の流れを併記した構成図である。
【図４】同電解水ディスペンサーを示す概略構成図であって、アルカリイオン水（弱アルカリ性の電解生成アルカリ性水）の給水時における各電解生成水の流れを併記した構成図である。
【図５】同電解水ディスペンサーを示す概略構成図であって、給水タンク内の強酸性の電解生成酸性水の置換時における各電解生成水の流れを併記した構成図である。
【符号の説明】
【００３９】
１０ａ…第１の電解水生成装置、１０ｂ…第２の電解水生成装置、１０ｃ…給水タンク、１０ｄ，１０ｅ…供給管路、１０ｅ1…バイパス管路、１０ｆ…主排水管路、１１…タンク本体、１１ａ…流入孔部、１１ｂ…排出孔部、１１ｃ…供給孔部、１２ａ，１２ｂ，１２ｃ…フロートスイッチ、１３…給水管路、１３ａ…給水ポンプ、１４…ガス放出管、１５…排水管路、１５ａ…開閉弁、１６…オーバーフローパイプ、１７ａ，１７ｂ…容器受部、２０ａ，２０ｂ…水管路系、２１ａ，２１ｂ…流出管路、２２ａ，２２ｂ…給水管路、２３…主給水管路、２４ａ，２４ｂ…三方切替弁、２５ａ…導入管路、２５ｂ…排水管路、２６ａ…給水管路、２６ｂ…排水管路、２７…排水管路、２８ａ，２８ｂ，２８ｃ…開閉弁、Ａ，Ｃ…コップ、Ｂ…収容タンク。
【図１】
2005334723.tif 000003
【図２】
2005334723.tif 000004
【図３】
2005334723.tif 000005
【図４】
2005334723.tif 000006
【図５】
2005334723.tif 000007